(57)【要約】【課題】  どの入力部を操作すればどこの表示領域に、対応する情報が表示されるのかを認識させる。【解決手段】  スキャン枚数を表示する小表示エリア６２Ａと、スキャン枚数を入力するためのテンキー１２とを、図形５０Ａにより線で結ぶ。これにより、スキャン枚数をテンキー１２により入力することを認識することができる。同様に、送信先を表示する表示部６２Ｂと、送信先を入力するための宛先指定パネル２２とを図形５０Ｂにより線で結ぶ。これにより、送信先を、宛先指定パネル２２を介して入力すると認識することができる。よって、スキャン枚数として送信先を入力したり、送信先としてスキャン枚数を入力する等の誤操作を防止することができる。【選択図】        図６
2006155016.tif 000002
【特許請求の範囲】
【請求項１】
操作されることにより各々異なる複数種類の情報を入力する、固定された位置に配置された複数の入力部と、
操作された入力部に対応する情報を表示する表示領域を備えた表示手段と、
を備えた操作表示装置であって、
前記入力部と、該入力部に対応する情報を表示する表示領域とが対応して認識されるように補助する認識補助手段を備えた
ことを特徴とする操作表示装置。
【請求項２】
前記認識補助手段は、視覚的に補助することを特徴とする請求項１記載の操作表示装置。
【請求項３】
前記認識補助手段は、前記入力部と前記表示領域とを対応して認識させる表示がされるように前記表示手段を制御することを特徴とする請求項２記載の操作表示装置。
【請求項４】
前記認識補助手段は、前記入力部と前記表示領域とを対応して認識させる図柄が表示され、又は、前記入力部の近くに、該入力部に対応する前記表示領域が位置するように、前記表示手段を制御することを特徴とする請求項３記載の操作表示装置。
【請求項５】
前記認識補助手段は、
前記入力部又は該入力部の周囲で発光する発光手段と、
前記入力部に対応する情報を表示する表示領域への接触を検知する検知手段と、
前記検知手段により前記表示領域への接触が検知された場合、前記発光手段を発光制御する制御手段と、
により構成されたことを特徴とする請求項２乃至請求項４の何れか１項に記載の操作表示装置。
【請求項６】
前記認識補助手段は、聴覚的に補助することを特徴とする請求項１乃至請求項５の何れか１項に記載の操作表示装置。
【請求項７】
前記表示手段は、前記情報として、前記操作された入力部により入力された情報又は該入力部の操作を補助するための情報を表示することを特徴とする請求項１乃至請求項６の何れか１項に記載の操作表示装置。
【請求項８】
前記操作表示装置は、所定の処理を実行する実行装置に接続され、
前記複数の入力部は、前記複数種類の情報として、前記処理の内容を指示する情報を入力する、
ことを特徴とする請求項１乃至請求項７の何れか１項に記載の操作表示装置。
【請求項９】
操作されることにより各々異なる複数種類の情報を入力する、固定された位置に配置された複数の入力部と、
操作された入力部に対応する情報を表示する表示領域を備えた表示手段と、
を備えた操作表示装置の操作表示方法であって、
前記表示手段により前記表示領域を表示する第１のステップと、
前記力部と、該入力に対応する情報を表示する表示領域とが対応して認識されうように補助する第２のステップと、
前記入力部が操作された場合、前記表示手段により、該入力部に対応する情報を表示させる第３のステップと、
を備えたことを特徴とする操作表示装置の操作表示方法。
【発明の詳細な説明】
【技術分野】
【０００１】
本発明は、操作表示装置及び操作表示装置の操作表示方法にかかり、特に、操作されることにより各々異なる複数種類の情報を入力する、固定された位置に配置された複数の入力部と、操作された入力部に対応する情報を表示する表示領域を備えた表示手段と、を備えた操作表示装置及び操作表示装置の該操作表示方法に関する。
【背景技術】
【０００２】
従来、スキャン機能、ファックス機能、Ｅメール機能等の複数の機能を備えたデジタル複合機における表示パネルには、固定された位置に配置された押しボタン式のテンキーや、アドレスを指定するためのフリップカード等と、これらのテンキーやフリップカードにより入力された情報を表示する表示エリア等を備えている。例えば、スキャン及びＥメール等の機能が選択された場合には、スキャン枚数として、入力部からスキャン枚数を入力し、宛先として、フリップカードからスキャンされたイメージデータを送信するアドレスとを入力する。スキャン枚数や送信先のアドレスが入力されると、各々の入力された情報を表示するための表示エリアに、入力された情報を表示するようにしている。
【０００３】
なお、関連する技術としては、ＧＵＩパネルとキャラクタ表示パネルの併用で操作性を向上するものもある（特許文献１参照）。
【０００４】
ここで、スキャン枚数や送信先の情報をいずれの入力装置から入力していいのか分からない場合には、スキャン枚数としてアドレスが入力されたり、送信先としてスキャン枚数が入力されたりする。従って、データを適正に入力することができない。
【特許文献１】特開平8-8542号公報
【発明の開示】
【発明が解決しようとする課題】
【０００５】
本発明は上記事実に鑑み成されたもので、どの入力部を操作すればどこの表示領域に、対応する情報が表示されるのかを認識させることが可能な操作表示装置及び操作表示装置の操作表示方法を提供することを目的とする。
【課題を解決するための手段】
【０００６】
上記目的を達成するために請求項１に記載の発明は、操作されることにより各々異なる複数種類の情報を入力する、固定された位置に配置された複数の入力部と、操作された入力部に対応する情報を表示する表示領域を備えた表示手段と、を備えた操作表示装置であって、前記入力部と、該入力部に対応する情報を表示する表示領域とが対応して認識されるように補助する認識補助手段を備えたことを特徴とする。
【０００７】
請求項９記載の発明は、操作されることにより各々異なる複数種類の情報を入力する、固定された位置に配置された複数の入力部と、操作された入力部に対応する情報を表示する表示領域を備えた表示手段と、を備えた操作表示装置の操作表示方法であって、前記表示手段により前記表示領域を表示する第１のステップと、前記力部と、該入力に対応する情報を表示する表示領域とが対応して認識されうように補助する第２のステップと、前記入力部が操作された場合、前記表示手段により、該入力部に対応する情報を表示領域に表示させる第３のステップと、を備えたことを特徴とする。
【０００８】
本発明の操作表示装置は、複数の入力部を備えている。複数の入力部各々は、固定された位置に配置されている。なお、入力部は、物理的構成（押しボタン式）である。即ち、複数の入力部各々は、表示されてなるものではない。そして、複数の入力部は、操作されることにより各々異なる複数種類の情報を入力する。
【０００９】
ここで、本発明の操作表示装置を、所定の処理を実行する実行装置に接続するようにしてもよい。この場合、複数の入力部は、複数種類の情報として、上記所定の処理の内容を指示する情報を入力する。
【００１０】
表示手段は表示領域を備え、この表示領域は、操作された入力部に対応する情報を表示する。なお、表示領域の近くに、当該表示領域に表示されるべき情報を示す情報を表示するようにしもよい。
【００１１】
本発明では、表示手段は、上記表示領域を表示する（第１のステップ）。
【００１２】
ところで、複数の入力部が固定された位置に配置され、表示手段が上記表示領域を表示しても、入力部と該入力部に対応する情報を表示する表示領域との対応が外部からは認識されにくい。即ち、どの情報を、どの入力部を介して入力してよいのか外部から認識されにくい。
【００１３】
そこで、本発明の認識補助手段は、入力部と、該入力部に対応する情報を表示する表示領域とが対応して認識されるように補助する（第２のステップ）。
【００１４】
このように、入力部と、該入力部に対応する情報を表示する表示領域とが対応して認識されるように補助するので、どの入力部を操作すれば、どこの表示領域に、対応する情報が表示されるのかを認識させることができる。
【００１５】
このように、どの入力部を操作すれば、どこの表示領域に、対応する情報が表示されるのかを認識させることができるので、必要な入力部が操作される。そして、このように入力部が操作された場合、表示手段により、該入力部に対応する情報を表示させる（第３のステップ）。
【００１６】
なお、入力部が操作されて表示手段により表示される情報として、操作された入力部により入力された情報又は該入力部の操作を補助するための情報である。
【００１７】
ところで、認識補助手段は、請求項２のように、前記入力部と前記表示領域とが対応するように視覚的に認識させたり、請求項６のように、聴覚的に認識させたり、してもよい。
【００１８】
次に、認識補助手段が、前記入力部と前記表示領域とが対応して認識されるように視覚的に補助する場合を説明する。
【００１９】
認識補助手段は、請求項３のように、入力部と表示領域とを対応させて認識させる表示がされるように表示手段を制御する。この場合、認識補助手段は、請求項４のように、入力部と表示領域とを対応させて認識させる図柄が表示され、又は、入力部の近くに、該入力部に対応する表示領域が位置するように、表示手段を制御する。即ち、入力部に対応する表示領域を他の入力部より当該入力部の近くに表示する。
【００２０】
ここで、図柄としては、例えば、入力部側と表示領域側とを結ぶ線、表示領域の近くに表示される、該表示領域に対応する入力部を図案化した図形（例えば、アイコン等）等である。
【００２１】
また、認識補助手段を請求項５のように、前記入力部又は該入力部の周囲で発光する発光手段と、前記入力部に対応する情報を表示する表示領域への接触を検知する検知手段と、前記検知手段により前記表示領域への接触が検知された場合、前記発光手段を発光制御する制御手段と、により構成するようにしてもよい。
【００２２】
なお、認識補助手段は、前記入力部と前記表示領域とが対応するように聴覚的に認識させる場合には、例えば、表示領域に対応する入力部の位置や名称を説明するメッセージを発声する。
【発明の効果】
【００２３】
以上説明したように本発明によれば、入力部と、該入力部に対応する情報を表示する表示領域とが対応して認識されるように補助するので、どの入力部を操作すれば、どこの表示領域に、対応する情報が表示されるのかを認識させることができる、という効果がある。
【発明を実施するための最良の形態】
【００２４】
以下、図面を参照して本発明の実施の形態の一例を詳細に説明する。
【００２５】
図１に示すように、本実施の形態に係る操作表示装置は、図示しないデジタル複合機に接続されている。操作表示装置は、デジタル複合機に対して、複数の処理、例えば、スキャン機能、コピー機能、スキャン及びＥメール機能、及び、スキャン及びファックス機能のそれぞれの処理の内容を指示するための情報を入力するための複数の入力部としてのテンキー１２、及び宛先指定パネル（フリップカード）２２等を備えている。
【００２６】
なお、操作表示装置は、この他に、クリアーキー１４、ヘルプキー１６、ストップキー１８、スタートキー２０を備えている。また、操作表示装置は、テンキー１２や宛先指定パネル２２により指定された情報を表示する表示手段としての、タッチパネル式の表示部１０を備えている。
【００２７】
図２に示すように、本実施の形態に係る操作表示装置の制御系は、前述したテンキー１２や宛先指定パネル２２からのデータを入力し、表示部１０を制御する制御部２８を備えている。具体的には、制御部２８は、表示部１０を制御する表示制御部を介して制御する。なお、表示部１０の表示エリアをカバーするように、表示部１０の接触を検知する検知手段としてのタッチパネル２４が設けられている。
【００２８】
次に、本実施の形態の作用を説明する。
【００２９】
図４に示すように、本実施の形態の操作表示装置の表示部１０における初期画面では、デジタル複合機の複数の機能を指定するための表示エリア６２〜６８が表示されている。例えば、表示エリア６２は、原稿をスキャン（Scan）した後、スキャンにより得られたイメージデータを電子メール（E-mail）送信することを示すＳｃａｎ  ｔｏ  Ｅ−Ｍａｉｌ の機能を表示し、表示エリア６４は、原稿をスキャン（Scan）した後、スキャンにより得られたイメージデータをファック送信することを示すＳｃａｎ  ｔｏ  Ｆａｘ を表示し、表示エリア６６は、スキャンを表示し、表示エリア６８は、コピーを表示している。
【００３０】
このような状態で、例えば、ユーザが、デジタル複合機にＳ        ｃａｎ  ｔｏ  Ｅ−Ｍａｉｌ機能を指示しようとする場合には、ユーザは、Ｓ    ｃａｎ  ｔｏ  Ｅ−Ｍａｉｌを表示する表示エリア６２を指でタッチする。このように、表示エリア６２〜６８の何れかがユーザによりタッチされたとタッチパネルが検知した場合には、図４に示す処理内容指定処理プログラムがスタートし、ステップ３２で、図５に示すように、タッチされた表示エリアに対応する処理の内容を指定するための処理内容指定画面を表示する。図５は、Ｓｃａｎ  ｔｏ  Ｅ−Ｍａｉｌを表示する表示エリア６２がタッチされたと検知された場合に表示される、Ｓｃａｎ  ｔｏ  Ｅ−Ｍａｉｌの処理内容指定画面が示されている。本実施の形態では、この処理内容指定画面には、スキャン枚数及び送信先を表示する表示領域としての小表示エリア６２Ａ、６２Ｂが表示されている。
【００３１】
このとき、スキャン枚数及び送信先（アドレス）のデータをいずれの入力部から入力していいのか認識できない場合がある。従って、スキャン枚数として送信先や、送信先としてスキャン枚数が入力される場合がある。そこで、本実施の形態では、ステップ３４で、図６に示すように、各入力部と各表示部とを対応して認識させるための図形を表示する。即ち、例えば、図６に示すように、スキャン枚数を表示する表示部６２Ａと、スキャン枚数を入力するためのテンキー１２とを線で結ぶ図形５０Ａを表示し、送信先を表示する表示部６２Ｂと、送信先を入力するための宛先指定パネル２２とを線で結ぶ図形５０Ｂとを表示する。このように、スキャン枚数を表示する表示部６２Ａと、スキャン枚数を入力するためのテンキー１２とが、図形５０Ａにより線で結ばれているので、スキャン枚数をテンキー１２により入力することを認識することができる。同様に、送信先を表示する表示部６２Ｂと、送信先を入力するための宛先指定パネル２２とが図形５０Ｂにより線で結ばれているので、送信先を宛先指定パネル２２を介して入力すると認識することができる。よって、スキャン枚数として送信先を入力したり、送信先としてスキャン枚数を入力する等の誤操作を防止することができる。
【００３２】
次のステップ３６で、入力部が操作されたか否かを判断し、入力部が操作されていないと判断された場合には、ステップ３８で、入力部とヘルプキー１６とが同時に操作されたか否かを判断し、同時に操作されていないと判断された場合には、ステップ４０で、スタートキー２０がＯＮとなったか否かをを判断し、スタートキー２０がＯＮとなっていないと判断された場合には、ストップキー１８がＯＮされたか否かを判断する。ストップキー１８がＯＮされていないと判断された場合には、ステップ３６に戻る。
【００３３】
入力部が操作されたと判断された場合には、ステップ３６が肯定判定され、ステップ４４で、入力部を介して入力された情報を、入力部に対応する小表示エリアに表示する。即ち、例えば、テンキー１２が操作され、図６に示すように、スキャン枚数として１４が入力された場合には、テンキー１２に対応する小表示エリア６２Ａに、入力されたデータ（１４）を表示する。そして、処理はステップ３６に戻る。また、例えば、宛先指定パネル２２のＡさん用のボタン２２ＡがＯＮされた場合には、送信先の小表示エリア６２Ｂに、Ａさんが表示される。なお、Ａさんのアドレスが設定される。
【００３４】
また、入力部とヘルプキー１６とが同時に操作された場合、例えば、宛先指定パネル２２とヘルプキー１６とが同時に操作された場合には、ステップ３８が肯定判定され、ステップ４６で、図７に示すように、宛先指定パネル２２に対応するヘルプメッセ−ジを、操作された入力部、即ち、この場合には、宛先指定パネル２２の近傍に表示する。即ち、図７に示すように宛先指定パネル２２の近傍の小表示エリア５２に、所定のヘルプメッセージを表示する。次に、処理はステップ３６に戻る。
【００３５】
スタートキー２０がＯＮされた場合には、ステップ４０が肯定判定され、ステップ４８で、入力部により入力された処理内容を指定するデータを、デジタル複合機本体に送信することにより処理実行を指示する。
【００３６】
なお、ストップキー１８がＯＮされた場合には、本プログラムを終了する。
【００３７】
このように、スキャン枚数を表示する表示部６２Ａと、スキャン枚数を入力するためのテンキー１２とが、図形５０Ａにより線で結ばれているので、スキャン枚数をテンキー１２により入力することを認識することができる。同様に、送信先を表示する表示部６２Ｂと、送信先を入力するための宛先指定パネル２２とが図形５０Ｂにより線で結ばれているので、送信先を、宛先指定パネル２２を介して入力すると認識することができる。よって、スキャン枚数として送信先を入力したり、送信先としてスキャン枚数を入力する等の誤操作を防止することができる。
【００３８】
また、宛先指定パネル２２とヘルプキー１６とが同時に操作された場合には、宛先指定パネル２２に対応するヘルプメッセ−ジを、宛先指定パネル２２の近傍に表示するのでヘルプメッセージが宛先指定パネルのものであることを認識することができる。
【００３９】
前述した実施の形態では、表示部と入力部とを線で結ぶ図形を表示するようにしているが、本発明はこれに限定されるものでなく、入力部の近傍に、該入力部により入力されたデータを表示する表示部を表示するようにしても良い。即ち、例えば、図８に示すように、テンキー１２の近傍に、スキャン枚数を表示する小表示エリア５４Ａを配置し、宛先指定パネル２の近傍に、送信先を表示する小表示エリア５４Ｂを表示させる。
【００４０】
また、小表示エリアと入力部とを線で結ぶことに限定されるものでなく、入力部を図案化した図形を、この入力部に対応する小表示エリアの近傍に表示するようにしても良い。即ち、例えば、図９に示すように、テンキーを図案化したアイコン５６Ａを、テンキーを介して入力されたデータを表示する小表示エリア６２Ａの近傍に表示する。また、宛先指定パネル２２を図案化したアイコン５６Ｂを、宛先指定パネル２２より入力された宛先を表示する小表示エリア６２Ｂの近傍に表示するようにしても良い。
【００４１】
次に本実施の変形例を説明する。
【００４２】
第１の変形例は、前述した実施の形態に更に、図１０に示すように、各入力部の回りに発光部７０Ａ、７０Ｂを備えている。発光部７０Ａ、７０Ｂは、ＬＥＤにより構成されている。なお、入力部が発光するようにしてもよい。
【００４３】
なお、発光部７０Ａ、７０Ｂは、図１１に示すように、制御部２８に接続されている。
【００４４】
本変形例では、図１２に示すように、前述した実施の形態の処理とほぼ同様の処理を実行するが、ステップ３６に代えて、ステップ７２で、小表示エリア６２Ａ、６２Ｂがタッチされたか否かを判断する。小表示エリアがタッチされたと判断された場合には、ステップ７４で、タッチされた小表示エリアに表示するデータを入力するための入力部に対応するＬＥＤを点灯する。例えば、小表示エリア６２Ａがタッチされたと判断された場合には、表示部６２Ａは、スキャン枚数を表示するエリアであり、スキャン枚数は、テンキー１２により入力するものであるので、本ステップ７４では、テンキー１２に対応する発光部７０Ａを点灯する。これにより、スキャン枚数は発光部７０Ａにより示されたテンキー１２を介して、入力することが認識される。よって、ユーザは、テンキー１２を用いてスキャン枚数を入力する。これにより、ステップ４４で、入力部を介して入力された情報を表示部に表示する。即ち、スキャン枚数として１４がテンキー１２を介して入力された場合には、テンキー１２に対応する小表示エリア６２Ａに、入力されたデータ（１４）を表示する。
【００４５】
次に、第２の変形例を説明する。本変形例では、図１３に示すように、前述した実施の形態に、更に、スピーカ８０を備えている。このスピーカ８０は、図１４に示すように、制御部２８に接続されている。
【００４６】
次に、本変形例の作用を説明する。本変形例では、前述した実施の形態の処理とほぼ同様の処理を実行するが、ステップ３６に代えてステップ８２で、小表示エリアがタッチされたか否かを判断し、小表示エリア部がタッチされたと判断された場合には、ステップ８４で、タッチされた小表示エリアに対応して定められた音声をスピーカ８０を介して発生する。例えば、小表示エリア６２Ａがタッチされたと判断された場合には、小表示エリア６２Ａは、スキャン枚数を表示するエリアであり、スキャン枚数はテンキー１２により入力するものであるので、本ステップ７４では、テンキーからスキャン枚数を入力するように促す音声や、テンキーの位置を示す音声を発生する。
【００４７】
そして、ステップ４４に代えて、ステップ８６で、入力部を介して入力された情報を表示部に表示する。
【図面の簡単な説明】
【００４８】
【図１】操作表示装置の正面図である。
【図２】操作表示装置のブロック図である。
【図３】操作表示装置の表示部の初期画面を示す図である。
【図４】処理内容否定プログラムを示すフローチャートである。
【図５】Ｓｃａｎ  ｔｏ  Ｅ−Ｍａｉｌの処理内容否定画面を表示する図である。
【図６】小表示エリアと入力部とを対応して認識されるように線で結ぶ図形を表示した図である。
【図７】操作指定パネルのヘルプメッセージを操作指定パネルの近傍の表示エリアに表示した例を示す図である。
【図８】図形に代えて小表示エリアを入力部の近傍に表示する例を示した図である。
【図９】入力部を図案化したアイコンを小表示エリアの近傍に表示する例を示した図である。
【図１０】第１の変形例に係る操作表示装置の表面図である。
【図１１】第１の変形例に係る操作表示装置のブロック図である。
【図１２】第１の変形例に係る処理内容指定プログラムを示すフローチャートである。
【図１３】第２の変形例にかかる操作表示装置の正面図である。
【図１４】第２の変形例にかかる操作表示装置のブロック図である。
【図１５】第２の変形例にかかる操作表示装置の処理内容指定プログラムを示すフローチャートである。
【符号の説明】
【００４９】
１０  表示部（タッチパネル式）
１２  テンキー
１４  クリアキー
１６  ヘルプキー
１８    ストップキー
２０    スタートキー
２２    宛先指定パネル
２４    タッチパネル
２６    表示制御部
２８    制御部
５０Ａ  図形
５０Ｂ  図形
５２    ヘルプメッセージ
５６Ａ  テンキーアイコン
５６Ｂ  宛先指定パネルアイコン
【図１】
2006155016.tif 000003
【図２】
2006155016.tif 000004
【図３】
2006155016.tif 000005
【図４】
2006155016.tif 000006
【図５】
2006155016.tif 000007
【図６】
2006155016.tif 000008
【図７】
2006155016.tif 000009
【図８】
2006155016.tif 000010
【図９】
2006155016.tif 000011
【図１０】
2006155016.tif 000012
【図１１】
2006155016.tif 000013
【図１２】
2006155016.tif 000014
【図１３】
2006155016.tif 000015
【図１４】
2006155016.tif 000016
【図１５】
2006155016.tif 000017